(57)【要約】      （修正有）【課題】握力が弱い高齢者などが安全を確保して、且つ楽に楽しく歩行する為の補助をする自動ブレーキ及び停止車輪付き杖を提供する。【解決手段】杖本体２先端の基台部３に車輪部４を設け、車輪部の前後に泥除けカバー形状の前脚部５と後脚部６を設け、前脚部に杖本体が垂直姿勢の状態で地面に接する前ブレーキ部５ａを設け、前ブレーキ部に連結する前停止部５ｂを設け、停止部は杖本体が前方側への傾斜姿勢で接地して車輪部を浮かせる、先端を上方側へ５度反り返る形状であり、後脚部に杖本体が後方側へ３０度の傾斜姿勢で接地する形状の後ブレーキ部６ａを設け、後ブレーキ部に連結した形状の後停止部６ｂを設け、後停止部は杖本体が後方側へ３０度を超えた傾斜姿勢で車輪部を浮いた状態にする、先端を反り返らせた上方側へ５度傾斜した形状であり、これらを一体形成する。【選択図】図１
2017192680.tif 000002
【特許請求の範囲】
【請求項１】
杖本体の先端に基台部を設け、該基台部に車輪部を設け、該車輪部の前後に自転車の泥除けカバーのような形状構成の前脚部と後脚部をそれぞれ独立して設け、該前脚部に杖本体が垂直姿勢の状態時で地面に接する形状構成の前ブレーキ部を設け、該前ブレーキ部に連結した形状構成の前停止部を設け、該前停止部は杖本体が垂直姿勢の状態から前方側への傾斜姿勢に移行したら地面に接着して該車輪部を浮いた状態にする先端を反り返らせた上方側へ５度位傾斜した形状構成であり、該後脚部に杖本体が垂直姿勢の状態から後方側へ３０度位の傾斜姿勢に移行したら地面に接する形状構成の後ブレーキ部を設け、該後ブレーキ部に連結した形状構成の後停止部を設け、該後停止部は杖本体が後方側へ３０度位を超えた傾斜姿勢に移行したら地面に接着して該車輪部を浮いた状態にする先端を反り返らせた上方側へ５度位傾斜した形状構成であり、これらを一体形成したことを特徴とする自動ブレーキ及び停止車輪付き杖。
【請求項２】
該前ブレーキ部と該前停止部及び該後ブレーキ部と該後停止部のそれぞれ地面に接する各部位付近に、凸凹状又は凸を複数設置した前滑り止め部と後滑り止め部を、それぞれ設けたことを特徴とする請求項１に記載の自動ブレーキ及び停止車輪付き杖。
【発明の詳細な説明】
【技術分野】
【０００１】  本発明は、歩行をする際に補助をする自動ブレーキ及び停止車輪付き杖に関するものである。
【背景技術】
【０００２】  従来、歩行をする際に補助をする杖は、一歩毎に先端で地面を突く作業を繰り返して使用していた。
また、軽量中空杖本体に、車輪と方向自在部を設けた自在部装置を設け、板本体に昇降管とアームを設け、石突き付きのフレームを方向自在部に設け、これにブレーキと車輪を設ける。杖本体の中部に止め金の装置を設ける。板本体の中部に、フレーム止め管、ネジ、バンドを介して磁石を設けた車輪付き杖が知られている。（実用新案文献１参照）。
【先行技術文献】
【実用新案文献】
【０００３】
【実用新案文献１】
実開平０５−０１３４２９
【発明の概要】
【発明が解決しようとする課題】
【０００４】  しかしながら、杖を一歩毎に先端で地面を突く作業を繰り返しながらの歩行は、握力が弱い高齢者などには負担であり、杖の使用が困難で儘にならなくて困っている人もいる。車輪付き杖は、使用者が自らブレーキを引く作業を行う構造であり、握力の弱い高齢者などには負担が大きく、また面倒である。そして、ブレーキを引くタイミングが遅れると転倒する危険が生じると云う問題があり、使用者の負担を軽くして、楽で安全に歩行の補助とすることは不可能だった。
本発明は、以上の問題点を解決する為になされたものである。
【課題を解決するための手段】
【０００５】  杖本体の先端に基台部を設け、該基台部に車輪部を設け、該車輪部の前後に自転車の泥除けカバーのような形状構成の前脚部と後脚部をそれぞれ独立して設け、該前脚部の先端に杖本体が垂直姿勢の状態時で地面に接する形状構成の前ブレーキ部を設け、該前ブレーキ部に連結した形状構成の前停止部を設け、該前停止部は杖本体が垂直姿勢の状態から前方側への傾斜姿勢に移行したら地面に接着して該車輪部を浮いた状態にする先端を反り返らせた上方側へ５度位傾斜した形状構成であり、該後脚部に杖本体が垂直姿勢の状態から後方側へ３０度位の傾斜姿勢に移行したら地面に接する形状構成の後ブレーキ部を設け、該後ブレーキ部に連結した形状構成の後停止部を設け、該後停止部は杖本体が後方側へ３０度位を超えた傾斜姿勢に移行したら地面に接着して該車輪部を浮いた状態にする先端を反り返らせた上方側へ５度位傾斜した形状構成であり、これらを一体形成したことを特徴とする自動ブレーキ及び停止車輪付き杖。
【発明の効果】
【０００６】  従来不可能とされていた杖を一歩毎に地面に突く作業を省くことが車輪を付けることで可能となり、且つ杖の傾斜角度に応じて自動的にブレーキがかかり、更に設定の傾斜角度を超えると車輪が浮いて地面から離れる構造であるから確実に停止することが出来るので、使用者の負担を軽減して、楽で安全に歩行の補助をすることを可能にした。
そして、握力が弱くなって既存の杖を使えなかった高齢者などが、特別な技術を必要としないで気軽に従来と同じように安心して杖を使って外出を楽しむことができる。
【図面の簡単な説明】
【０００７】
【図１】  本発明の斜視図
【図２】  本発明の斜視図
【図３】  本発明の使用状態を示す断面図
【図４】  本発明の使用状態を示す断面図
【発明を実施するための形態】
【０００８】  以下、本発明の実施の形態を説明する。
（イ）本発明の自動ブレーキ及び停止車輪付き杖（１）は、握り部を備えた棒状の杖本体      （２）の先端に鉄材などの硬質で頑丈な材質の基台部（３）を設け、該基台部（３      ）の真下に左右フレームと車軸を備えた車輪部（４）を設ける。
（ロ）該車輪部（４）の前後に、該基台部（３）と一体連結で同材の自転車の泥除けカバ      ーのような形状構成の前脚部（５）と後脚部（６）を、それぞれ独立した形状構成      で設ける。
（ハ）該前脚部（５）の先端（地面に接する側）に、杖本体（２）が垂直姿勢の状態時で      地面に接してブレーキがかかる形状構成の前ブレーキ部（５ａ）を設ける。
（ニ）該前ブレーキ部（５ａ）と一体連結で同材の該前脚部（５）の延長状の前停止部（      ５ｂ）を設ける。
（ホ）該前停止部（５ｂ）は、杖本体（２）が垂直姿勢の状態から前方側への傾斜姿勢に      移行したら、地面に接着して該車輪部（４）を浮いた状態にする、先端を丸く反り      返らせた上方側へ５度位傾斜した形状構成である。
（ヘ）該後脚部（６）の先端（地面に接する側）に、杖本体（２）が垂直姿勢から後方側      へ３０度位の傾斜姿勢に移行したら地面に接してブレーキがかかる形状構成の後ブ      レーキ部（６ａ）を設ける。
（ト）該後ブレーキ部（６ａ）と一体連結で同材の該後脚部（６）の延長状の後停止部（      ６ｂ）を設ける。
（チ）該後停止部（６ｂ）は、杖本体（２）が垂直姿勢の状態から後方側へ３０度位を超      えた傾斜姿勢に移行したら地面に接着して該車輪部（４）を浮いた状態にする、先      端を丸く反り返らせた上方側へ５度位傾斜した形状構成である。
（リ）請求項２の前滑り止め部（７）は、合成ゴム材及び天然ゴム材などで表面が凸凹状      又は凸を複数設けており、該前ブレーキ部（５ａ）の地面と接する部位付近、及び      該前停止部（５ｂ）の地面と接する部位付近にそれぞれ接着剤などで装着したもの      である。
（ヌ）上記前滑り止め部（７）と同じく請求項２の後滑り止め部（８）は、合成ゴム材及      び天然ゴム材などで表面が凸凹状又は凸を複数設けており、該後ブレーキ部（６ａ      ）の地面と接する部位付近、及び該後停止部（６ｂ）の地面と接する部位付近にそ      れぞれ接着剤などで装着したものである。
本発明は、以上のような構造である
本発明を使用するときは、まず自動ブレーキ及び停止車輪付き杖（１）を従来の一般的な杖を使用する際と同じように利き手の手の平を軽く押しつけるようにして持ち、続いて車輪部（４）を進行方向へ向けて、杖本体（２）を垂直姿勢若しくは僅かに前方側へ傾斜した姿勢にして、車輪部（４）が可動しないようにする。これで歩行の準備が完了である。
使用者は、杖本体（２）をゆっくり後方側（手前側）へ倒して杖本体（２）を傾斜姿勢にして車輪部（４）が可動できる状態にしながら、片手で空のベビーカーを押すような要領で自動ブレーキ及び停止車輪付き杖（１）を手の平を使って軽く押し出すようにする。
この動作と並行するようにして使用者は歩を進める。
そして先行している車輪部（４）は、使用者の歩幅位の位置に到達すると必然的に杖本体（２）が３０度位の傾斜姿勢になるので、自動的に後ブレーキ部（６ａ）が地面に接して車輪部（４）にブレーキがかかり、その場所で止まる。仮に、止まり切れずに僅かでも進行する場合は、必然的に杖本体（２）が３０度位を超えた傾斜角度姿勢に移行するので、更に自動的に後停止部（６ｂ）が地面に接着して車輪部（４）を浮かせ、地面から離れた状態にするので強制的で且つ確実に停止できる。
この様に、例えブレーキのかかりが弱い場合でも、使用者の歩幅位を超えて車輪部（４）が勝手に進行する心配がないので安心して使用できる。
以上のような動作を連続することで、握力が弱くて従来の一般的な杖を使用して歩行することが苦痛だったり、困難だった高齢者などが、自動ブレーキ及び停止車輪付き杖を使って、安全を確保しながら楽に歩行を楽しむことができる。
【符号の説明】
【０００９】  １自動ブレーキ及び停止車輪付き杖  ２杖本体  ３基台部  ４車輪部  ５前脚部  ６後脚部  ５ａ前ブレーキ部  ５ｂ前停止部  ６ａ後ブレーキ部  ６ｂ後停止部  ７前滑り止め部  ８後滑り止め部  Ｊ地面
【図１】
2017192680.tif 000003
【図２】
2017192680.tif 000004
【図３】
2017192680.tif 000005
【図４】
2017192680.tif 000006